(57)【特許請求の範囲】
【請求項１】
台所において使用され、床面上に設置されるオーブン、レンヂ、食器洗機、シンク等の台所用機器であって、
その下端に設けた巾木の直上の化粧板を、下方を奥に向けて傾斜させることにより傾斜板とするとともに、この傾斜板の下端直下に巾木を位置させて、巾木及びその直上の化粧板の前方に、足置き空間を形成したことを特徴とする床置型の台所用機器。
【請求項２】
前記傾斜板を幕板とし、この幕板に対して収納カゴを取付け・取外し自在とするとともに、この収納カゴの周囲空間をガス管、水道管あるいは排水管等の配管のための収納空間としたことを特徴とする請求項１に記載の床置型の台所用機器。
【発明の詳細な説明】
【０００１】
【発明の属する技術分野】
本発明は台所において使用される機器に関し、特に床面上に設置される台所用機器の改良に関するものである。
【０００２】
【従来の技術】
台所の床面に設置される機器としては、オーブン、レンヂ、食器洗機、シンク等の種々なものが提案されてきているが、これらの台所用機器は、これ単独で使用されることもあるが、通常は台所で作業する人が効率良く動けるように、これらの機器を作業パスに沿って多種類配列することが行われている。その代表的なものは、いわゆるシステムキッチンと呼ばれているもので、各種機能を独立的に備えた多種類の機器を略同じ高さと幅のものとして、これらを直線状やカギ状に配列することが行われているのである。
【０００３】
このシステムキッチンのように、各種の台所用機器を配列すれば、複数種類の調理を同時並行的に行えて便利である。しかしながら、従来の各種台所用機器の前面パネルは、言わば壁のように、床面上から垂直に立ち上がっているものであり、一方、人の足は、その爪先が足首より前方に突出しているものであるため、壁のように直立している前面パネルが邪魔をして上半身を台所用機器上に大きくもっていくことができない。換言すれば、調理する人は、その身体を機器に近づけることが困難だったのであり、調理がしにくいという問題があったのである。
【０００４】
特に、このようなシステムキッチンは、アパートやマンション等の集合住宅における狭い台所空間を有効に利用するために採用されることが多く、壁側に一列に配置したり、作業パスである通路を隔てた並列状態で配置するものである。このため、一列にするにせよ、並列にするにせよ、作業者が通る通路は、台所が狭いことと作業パスを短くする必要上、９０ｃｍ〜１００ｃｍの非常に狭いものとなっており、作業者に対して狭い箱の中に居るような圧迫感を与えるものとなっているのである。
【０００５】
また、レンヂやオーブンにおいては、燃料であるガスを供給するためのガス管を取付けなければならないし、同様にシンクや食器洗機等ではこれにて使用する水を供給するための給水管、及び使用水を排出するための排水管を設けなければならないものであり、これらのガス管等の配管は当然該当機器内に組み込むと同時に、これを外部の配管に接続しなければならない。特に、ガスを燃焼させるレンヂやオーブンにおいては、ガス供給のための配管は勿論、燃焼装置における燃焼効率を良くするために、レンヂ等の内部に十分な通気を行なう空間を形成しておかなければならない。
【０００６】
このような台所用機器において使用されている配管は、当該機器を床面上に新規に設置する場合の接続作業は勿論、機器の使用を長期間行った際の、或いは器具が故障した際のメンテナンスを施さなければならないものである。ところが、前述したシステムキッチンのように、非常に狭い台所室間内にて設置されているものについて、配管の接続やメンテナンス作業を行うことは困難であり、これを効率的に行えるように機器側において改良を行わなければならない現状にある。特に、配管がガス管である場合には、１日以上不在とするときにその元栓を閉めておくことが義務づけられており、この元栓の開閉は台所で簡単に行えるようにしておかなければならない。
【０００７】
さらに、近年の台所用機器においては、その心臓部である燃焼装置等の改良が加えられてきており、全体として心臓部の小型化が進んできている。また、機器の下部に心臓部が配置されることは、これの操作・作業がしにくいことから希となっている。一方、各種の台所用機器全体の大きさとしては、人の体格が余り変化せず、むしろ背の高い人が増加してきている現状では、大きくなることはあっても小さくなることはない。結果として、この種の台所用機器においては、その下方部分に大きな空間ができ上ることになって、これを有効に使用することが望まれてきている。
【０００８】
本発明者は、この種の台所用機器における上記の現状をみて、これを改良するにはどうしたらよいかについて永年検討を重ねてきた結果、本発明を完成したのである。
【０００９】
【発明が解決しようとする課題】
本発明は、以上のような経緯に基づいてなされたもので、その解決しようとする課題は、床置式の台所用機器について、その使用勝手を良くするために改良を加えることである。
【００１０】
すなわち、まず請求項１に係る発明の目的とするところは、下部の空間を有効に利用することにより所謂足元を広くすることができて、調理作業を行い易くするとともに、床面を広くすることができてゆったりとした台所とすることのできる台所用機器を、簡単な構成によって提供することにある。
【００１１】
また、請求項２に係る発明の目的とするところは、上記請求項１の発明と同様な目的を達成することができる他、下部内の空間を有効に利用することができ、しかも配管の接続やメンテナンス作業を容易に行うことのできる台所用機器を提供することにある。
【００１２】
【課題を解決するための手段】
以上の課題を解決するために、請求項１に係る発明の採った手段は、以下の実施形態の説明中で使用する符号を付して説明すると、
「台所において使用され、床面上に設置されるオーブン、レンヂ、食器洗機、シンク等の台所用機器１０であって、
その下端に設けた巾木１１の直上の化粧板１２を、下方を奥に向けて傾斜させることにより傾斜板１２ａとするとともに、この傾斜板１２ａの下端直下に巾木１１を位置させて、巾木１１及びその直上の化粧板１２の前方に、足置き空間Ｒ1を形成したことを特徴とする床置型の台所用機器１０」
である。
【００１３】
すなわち、本発明に係る台所用機器１０は、台所の床面上に載置・設置されるものであり、具体的には、オーブン、レンヂ、食器洗い機、シンク等の種々なものが対象となるのであるが、少なくともその下端に、図１に示したように、巾木１１を有したものである。また、この台所用機器１０は、図１に示した実施形態のもののようなオーブン付レンヂであれば、その前面の上部にオーブン等の調理部を有しているものであり、また上面にもレンヂ等の他の調理部を有しているものであり、主として人がその前方に立って操作するものである。
【００１４】
そして、この台所用機器１０においては、巾木１１と化粧板１２とによってその所定高さを確保しているものであり、この化粧板１２の前面側に、図２に示すように、傾斜板１２ａが形成してある。この傾斜板１２ａは、下方を奥に向けて傾斜させたものであり、この台所用機器１０が、図１及び図２に示した実施例のように、台所用機器１０が、巾木１１とその直上に位置する化粧板１２とを有している場合には、この化粧板１２が傾斜板１２ａとされるのである。
【００１５】
この傾斜板１２ａは、下方を奥に向けて傾斜させたものである必要がある。その理由は、この傾斜板１２ａの前方に、足置き空間Ｒ1を積極的に形成して、当該台所用機器１０を使用する人が爪先を台所用 機器１０の内方に入れることができるようにすることによって、調理作業などを当該台所用機器１０に近接した状態で行えるようにするためである。また、傾斜板１２ａの前方に形成された足置き空間Ｒ1の高さは、２５ｃｍ〜 ３５ｃｍのものとなっている。この場合、傾斜板１１ａまたは１２ａの下方奥に向けて傾斜させる角度が関係してくるが、以下に示す実施形態の場合には、傾斜板１２ａと鉛直線のなす角を約３０゜前後としたものである。
【００１６】
このような傾斜板１２ａを有する台所用機器１０を設置した台所においては、当該台所用機器１０の前にある通路の一般的な幅が９０ｃｍ〜１００ｃｍではあるが、その下端に足置き空間Ｒ1が存在することによって、当該台 所用機器１０を設置した床面が、片側キッチンでは１０ｃｍ〜１２ｃｍ、並列キッチンでは２０ｃｍ〜２４ｃｍ程度広くなっている。つまり、この台所用機器１０を、傾斜板１２ａ、及び足置き空間Ｒ1を有したものとしたこと によって、これを設置した台所の通路幅が９０ｃｍ〜１００ｃｍしかないものであっても、その床面、すなわち通路が、片側キッチンでは１０ｃｍ〜１２ｃｍ、並列キッチンでは２０ｃｍ〜２４ｃｍ程度広くなるのであり、すがすがしくのびやかな台所とすることができるのである。
【００１７】
上記の課題を解決するために、請求項２に係る発明の採った手段は、実施形態の説明中において使用する符号を付して説明すると、請求項１に係る台所用機器１０について、
「傾斜板１２ａを幕板２０とし、この幕板２０に対して収納カゴ２２を取付け・取外し自在とするとともに、この収納カゴ２２の周囲空間をガス管、水道管あるいは排水管等の配管３０のための収納空間Ｒ2としたこと」
である。
【００１８】
すなわち、この発明が対象とする台所用機器１０は、オーブンあるいはレンヂであればガス管を、また食器洗い機あるいはシンクであれば、水道管及びその排水管を、といったように、配管３０を必要とするものであり、この配管３０は、当該台所用機器１０の収納空間Ｒ2内に収納されるものである。
【００１９】
つまり、この台所用機器１０においては、図２に示したように、その下端部に幕板２０を、図２にも示したように、案内桟等によって引き出し自在に構成したものであり、この幕板２０を傾斜板１２ａとしたものである。また、この幕板２０は、所謂底板を有さないものであり、これに収納カゴ２２を脱着自在に取り付けたものである。そして、この収納カゴ２２の周囲を、配管３０のための収納空間Ｒ2としたものであって、当該台所用機器１０は、図１及び図２に示したように、この収納空間Ｒ2内にその配管３０を収納配置したも のである。
【００２０】
この請求項２の台所用機器１０では、図２に示したように、巾木１１や化粧板１２の前方に、使用者の爪先が入る足置き空間Ｒ1が積極的に形成されて、効率よく使用することができるものとなっているとともに、収納カゴ２２の周囲の収納空間Ｒ2内に配管３０が無理なく収納されることになるのである。また、収納カゴ２２は、幕板２０に対して脱着自在に取り付けたものであるから、この幕板２０を引き出して収納カゴ２２を取り外せば、収納空間Ｒ2内にある配管３０を前方に大きく露出させることができる。従って、この配管３０の接続作業あるいはメンテナンス作業を容易に行えるとともに、この収納空間Ｒ2内の配管３０に元栓３１が設けてあれば、その開閉操作を容易に行えるものとなっているのである。
【００２１】
さらに、この請求項２に係る台所用機器１０においては、これが配管３０からガスが供給される燃焼機器である場合には、ガス燃焼に必要な空気が燃焼装置側に十分供給されることになる。すなわち、この台所用機器１０では、傾斜板１２ａを幕板２０とし、この幕板２０に対して収納カゴ２２を取付け・取外し自在とするとともに、この収納カゴ２２の周囲空間をガス管、水道管あるいは排水管等の配管３０のための収納空間Ｒ2としたのであるから、例えば巾木１１や化粧板１２に形成しておいた空気口から、収納空間Ｒ2及び収納カゴ２２の網目を通して、燃焼用空気が燃焼装置に十分供給されるのである。
【００２２】
【発明の実施の形態】
次に、本発明を、図面に示した実施の形態に従って説明すると、図１には台所用機器１０である床置型のガスオーブン付レンヂが示してあり、この台所用機器１０は、図２にも示したように、最下段に約１０ｃｍ程度の幅を有する巾木１１を設けて、この巾木１１の上に２０ｃｍ〜３０ｃｍ程度の幅を有する化粧板１２を設けたものである。また、この台所用機器１０は、ガスを使用して種々な調理を行うものであるから、その内部にガス供給のための配管３０を有しているものである。なお、最下段の巾木１１は、図２に示したように、その前面板を１０ｃｍ〜２５ｃｍ程度後退させてある。
【００２３】
この台所用機器１０の化粧板１２は、図２に示したように、これを約３０゜の角度で下方奥に向けて傾斜させてあり、傾斜板１２ａとしてある。これにより、当該傾斜板１２ａと上述した巾木１１との前方には、当該台所用機器１０の使用者がその爪先を十分入れることのできる足置き空間Ｒ1が積極的に形成されてい ることになる。
【００２４】
この傾斜板１２ａは、当該台所用機器１０の下部に設けた幕板２０ともなっている。すなわち、この台所用機器１０は、図１及び図２に示したように、その下部に幕板２０を有しているものであり、この幕板２０には、当該台所用機器１０において使用する器具や食器等を収納するための収納カゴ２２が、脱着自在に取り付けてある。すなわち、この幕板２０を前方に引き出して、これに取り付けてある収納カゴ２２を取り外せば、台所用機器１０の下部空間内に手等を十分入れられるものとなるものである。
【００２５】
換言すれば、この台所用機器１０では、図１及び図２に示したように、これに収納した各幕板２０の周囲に収納空間Ｒ2を形成したものであり、この収納空間 Ｒ2内には、当該台所用機器１０にとって必要な配管３０が配置してある。本実 施形態の配管３０においては、図２に示したように、その一部を前方に迂回させるとともに、この迂回部分に元栓３１を設けるようにしている。従って、この台所用機器１０においては、各幕板２０を引き出して収納カゴ２２を取り外せば、配管３０の接続あるいはメンテナンス作業を容易に行うことができるだけでなく、元栓３１の操作をも容易に行うことができるのである。
【００２６】
（削除）
【００２７】
【発明の効果】
以上説明した通り、請求項１に係る発明においては、上記実施形態において詳述した如く、
「台所において使用され、床面上に設置されるオーブン、レンヂ、食器洗機、シンク等の台所用機器１０であって、
その下端に設けた巾木１１の直上の化粧板１２を、下方を奥に向けて傾斜させることにより傾斜板１２ａとするとともに、この傾斜板１２ａの下端直下に巾木１１を位置させて、巾木１１及びその直上の化粧板１２の前方に、足置き空間Ｒ1を形成したこと」
にその構成上の特徴があり、これにより、下部の空間を有効に利用することにより所謂足元を広くすることができて、調理作業を行い易くするとともに、床面を広くすることができてゆったりとした台所とすることのできる台所用機器を、簡単な構成によって提供することができるのである。
【００２８】
すなわち、この請求項１に係る台所用機器１０は、これが設置される台所において、その通路の幅が９０ｃｍ〜１００ｃｍであったとしても、その下端に足置き空間Ｒ1を存在させることができるによって、当該台所用機器１０を設置した 床面を、片側キッチンでは１０ｃｍ〜１２ｃｍ、並列キッチンでは２０ｃｍ〜２４ｃｍ程度広くすることができる。つまり、台所用機器１０を傾斜板１２ａ、及び足置き空間Ｒ1を有したものとしたことによって、これを設置した台所の通路幅が９０ｃｍ〜１００ｃｍしかないものであっても、その床面、すなわち通路を幅広くすることができるのであり、すがすがしくのびやかな台所とすることができるのである。
【００２９】
また、請求項２に係る発明においては、上記請求項１に係る台所用機器１０について、
「傾斜板１２ａを幕板２０とし、この幕板２０に対して収納カゴ２２を取付け・取外し自在とするとともに、この収納カゴ２２の周囲空間をガス管、水道管あるいは排水管等の配管３０のための収納空間Ｒ2としたこと」
にその構成上の特徴があり、これにより、請求項１の発明と同様な効果を発揮すすることができることは勿論、下部内の空間を有効に利用することができ、しかも配管の接続やメンテナンス作業を容易に行うことのできる台所用機器を提供することができるのである。特に、この請求項２の台所用機器１０では、これが供給されたガスを燃焼させる燃焼機器である場合には、例えば巾木１１や化粧板１２に形成しておいた空気口から、収納空間Ｒ2及び収納カゴ２２の網目を通して 燃焼用空気を十分供給させることができるのである。
【図面の簡単な説明】
【図１】  本発明に係る台所用機器の正面図である。
【図２】  同縦断側面である。
【符号の説明】
１０  台所用機器
１１  巾木
１２  化粧板
１２ａ  傾斜板
２０  引き出し
２１  前面板
２２  収納カゴ
３０  配管
３１  元栓
Ｒ1    足置き空間
Ｒ2    収納空間
【図１】
0003650857.tif 000002
【図２】
0003650857.tif 000003